(57)【要約】【課題】情報提供から発注までを一貫してガジェットからアクセス可能な外国為替取引プログラムを提供する。【解決手段】本発明による外国為替取引プログラムは、インターネット２に接続された端末１のデスクトップ画面に、外国為替取引に係る通貨ペア、売値、買値等をリアルタイムに表示するリアルレートガジェット２０ａ，２０ｂと、注文ボタン２１８と通貨ペア、取引開始日、取引決済日等を入力する入力窓２１１〜２１５を表示し、入力されたデータを用いて取得予測金額をシミュレーションして提示する計算・注文ガジェット２０ｄと、注文ボタン２１８をクリックすると、外国為替取引システム１００に外国為替売買手続を実行させるための注文画面３１を表示し、外国為替取引システ１００に外国為替売買手続を指示して実行させるトレーディングインターフェイス３０とを備える。【選択図】    図２
2010152801.tif 000002
【特許請求の範囲】
【請求項１】
インターネットに接続された顧客の端末に取り込まれ、前記インターネットに接続され、オンラインで外国為替取引に関する情報を開示し、外国為替取引に係る顧客の発注に応じて外国為替売買手続を実行する外国為替取引システムにアクセスするための外国為替取引プログラムであって；
前記端末のデスクトップ画面又はブラウザ画面に、前記外国為替取引システムから取得した外国為替取引に係る通貨ペア、スプレッド、売値、買値をリアルタイムに表示するリアルレートガジェットと； 
前記デスクトップ画面又はブラウザ画面に、外国為替取引システムに対して前記発注を指示する注文ボタンと外国為替取引に係る通貨ペア、売買種別、取引開始日、取引決済日、ポジション数を入力する入力窓を表示し、これら各入力窓にデータを入力すると外国為替取引に関する取得予測金額をシミュレーションした結果を提示する計算・注文ガジェットと； 
前記注文ボタンをクリックすると、前記デスクトップ画面又はブラウザ画面に、前記外国為替取引システムに前記外国為替売買手続を実行させるための注文画面を表示し、前記計算・注文ガジェットから、前記入力された通貨ペア、売買種別、取引開始日、取引決済日、ポジション数を取得して注文確認ボタンと共に前記注文画面に表示し、前記注文確認ボタンをクリックすると、前記外国為替取引システムに前記外国為替売買手続を指示して実行させるトレーディングインターフェイスとを備える；
外国為替取引プログラム。
【請求項２】
前記外国為替取引システムは；
認証に必要な情報及び外国為替取引用口座の口座番号を含む顧客に関する情報を記憶する顧客データベースと；
当該外国為替取引システムにアクセスした顧客について、前記顧客データベースを参照して、顧客の認証を行ない、認証された顧客にアクセスを許容する認証サーバーと；
複数の通貨ペアの為替レートをリアルタイムに記憶するレートフィードサーバーと；
前記発注に基づいて外国為替売買手続を処理するアルゴリズムを記憶し、前記アルゴリズムに従って前記外国為替売買手続を実行する約定サーバーと； 
顧客からの発注に応じて、前記トレーディングインターフェイスから、前記入力された通貨ペア、売買種別、取引開始日、取引決済日、ポジション数を取得し、前記約定サーバーに前記外国為替売買手続を実行させ、前記外国為替売買手続を通して変化する前記顧客に係る外国為替取引用口座を管理する取引管理サーバーとを備える；
請求項１に記載の外国為替取引プログラム。
【請求項３】
前記レートフィードサーバーに記憶された為替レートの経時変化を前記デスクトップ画面又はブラウザ画面に表示するレート推移一覧ガジェットを備え； 
前記レート推移一覧ガジェットは、移動平均処理後に一定時間間隔でサンプリングした為替レートの値を表示する； 
請求項２に記載の外国為替取引プログラム。
【請求項４】
前記外国為替取引システムは、当該システムが保有する又は加工した情報を配信しかつ演算機能を有する情報配信サーバーを備え；
前記計算・注文ガジェットは、前記各入力窓に入力された外国為替取引に係る通貨ペア、売買種別、取引開始日、取引決済日、ポジション数を前記情報配信サーバーに送信し、前記情報配信サーバーが前記送信されたデータに基づいて外国為替取引に関する取得予測金額をシミュレーションした結果を取得して、表示する；
請求項２に記載の外国為替取引プログラム。
【請求項５】
前記デスクトップ画面又はブラウザ画面に、取得希望金額を入力する入力窓を表示し、前記取得予測金額が入力された取得希望金額以上になった時に通報信号を発生するアラームガジェットを備え；
前記計算・注文ガジェットは、前記取得予測金額を定期的にシミュレーションした結果、取得予測金額が入力された取得希望金額以上になった時に、その旨又は求めた取得予測金額を前記アラームガジェットに通知する；
請求項２ないし請求項４のいずれか1項に記載の外国為替取引プログラム。
【請求項６】
インターネットに接続可能であり、オンラインで外国為替取引に関する情報を開示し、外国為替取引に係る顧客の発注に応じて外国為替売買手続を実行する外国為替取引システムであって；
請求項１ないし請求項５のいずれか1項に記載の外国為替取引プログラムをダウンロード可能な状態で記憶する；
外国為替取引システム。
【請求項７】
インターネットに接続可能であり；
請求項１ないし請求項５のいずれか1項に記載の外国為替取引プログラムを記憶する；
外国為替取引用端末。
【請求項８】
請求項１ないし請求項５のいずれか1項に記載の外国為替取引プログラムを記録する；
コンピュータ読取可能な記録媒体。
【発明の詳細な説明】
【技術分野】
【０００１】
本発明は外国為替取引プログラム及び外国為替取引システムに関する。詳しくは、インターネットを介して外国為替オンライン取引を迅速かつ簡易に行なうための外国為替取引プログラム及び外国為替取引システムに関する。
【背景技術】
【０００２】
インターネット・ＩＴ技術の普及・発展と平成１０年４月の外為法改正に伴う外国為替業務の規制緩和により、顧客の端末からインターネットを介した外国為替オンライン取引が活発に行なわれるようになってきた。外国為替オンライン取引サービスに関して有利な条件の取引を選択する装置や損失防止策を取り入れた装置等が開示されている。（例えば特許文献１参照）
また、簡単なプログラムを用いて顧客の端末のデスクトップ画面やブラウザ画面の小領域に情報を表示できるガジェットが開発され、その利用が伸展しつつあり、為替レートを一覧表示するガジェットも存在するようになった。
【０００３】
【特許文献１】特開２００２−２５１５２２号公報（段落００１４〜００３３、図１〜図１６）
【発明の開示】
【発明が解決しようとする課題】
【０００４】
しかしながら、従来の外国為替オンライン取引サービスでは、ブラウザから外国為替取引システムにアクセスし、システムが提供する諸情報にアクセスし、これらを参照した後に、発注フォームにアクセスして発注手続を行なうものであった。これでは、情報閲覧から発注まで数段階の処理が必要であり、顧客にとって迅速かつ簡易に対処できないという問題があった。また、外国為替オンライン取引サービスに係るガジェットは、専ら情報提供に用いられるものに限られ、情報提供から発注までを一貫してガジェットからアクセス可能な外国為替取引プログラムは見出されていない。また、かかるガジェットを用いて外国為替取引を行なえる外国為替取引システムも見出されていない。
【０００５】
本発明は、情報提供から発注までを一貫してガジェットからアクセス可能な外国為替取引プログラムを提供することを目的とする。また、かかる外国為替取引プログラムを顧客の端末に配信可能であり、配信された当該プログラムと協働して、情報提供から発注までを一貫してガジェットからアクセス可能な外国為替取引システムを提供することを目的とする。
【課題を解決するための手段】
【０００６】
上記課題を解決するために、本発明の第１の態様の外国為替取引プログラムは、例えば図１に示すように、インターネット２に接続された顧客の端末１に取り込まれ、インターネット２に接続され、オンラインで外国為替取引に関する情報を開示し、外国為替取引に係る顧客の発注に応じて外国為替売買手続を実行する外国為替取引システム１００にアクセスするための外国為替取引プログラムであって、端末１のデスクトップ画面又はブラウザ画面に、外国為替取引システム１００から取得した外国為替取引に係る通貨ペア、スプレッド、売値、買値をリアルタイムに表示するリアルレートガジェット２０ａ，２０ｂ（図３参照）と、デスクトップ画面又はブラウザ画面に、外国為替取引システム１００に対して発注を指示する注文ボタン２１８と外国為替取引に係る通貨ペア、売買種別、取引開始日、取引決済日、ポジション数を入力する入力窓２１１〜２１５を表示し、これら各入力窓２１１〜２１５にデータを入力すると外国為替取引に関する取得予測金額をシミュレーションした結果を提示する計算・注文ガジェット２０ｄ（図４参照）と、注文ボタン２１８をクリックすると、デスクトップ画面又はブラウザ画面に、外国為替取引システム１００に外国為替売買手続を実行させるための注文画面３１（図７参照）を表示し、計算・注文ガジェット２０ｄから、入力された通貨ペア、売買種別、取引開始日、取引決済日、ポジション数を取得して注文確認ボタン３１８と共に注文画面３１に表示し、注文確認ボタン３１８をクリックすると、外国為替取引システム１００に外国為替売買手続を指示して実行させるトレーディングインターフェイス３０とを備える。
【０００７】
ここにおいて、外国為替取引プログラム３の顧客の端末１への取り込みは、インターネット２を介してダウンロードされても良く、ＣＤ−ＲＯＭ、ＵＳＢメモリ等の記録媒体からインストールされても良く、端末に接続した記録媒体からプログラムを随時読み込みながら実行するものであっても良い。また、ガジェット（Ｇａｄｇｅｔ）とは、デスクトップ画面、ブラウザ画面上に情報を提供し、ウエブサイトやアプリケーションにアクセスできるようにする小規模なプログラムを意味するものとし、かかるプログラムにより表示される画面をガジェット画面と称することとする。なお、ガジェットとガジェット画面で符号を共有するものとする。ガジェットは、複数の画面を表示しても良く、他のガジェットと画面を共有しても良い。例えば、リアルレートガジェットはパネル版画面２０ａとリスト版画面２０ｂを表示しても良く、計算・注文ガジェット２０ｄは、スワップポイントリストガジェット２０ｃと画面を共有しても良い。また、シミュレーションは、計算・注文ガジェット２０ｄ自体が行なっても良く、外国為替取引システム１００がシミュレーションした結果を取得しても良い。また、外国為替取引に関する取得予測金額として、例えば、スワップポイントによる取得予測金額、現時点で決済注文を行なった場合の外国為替レート差による取得予測金額、現時点で新規注文を行ない決済注文時の外国為替レートを推定した場合のレート差による取得予測金額、取引手数料・スワップポイント・レート差を含む取得予測金額が挙げられる。また、トレーディングインターフェイス３０とは、外国為替売買手続に関してガジェット２０と外国為替取引システム１００間を仲介するプログラムである。すなわち、ガジェット画面２０からの顧客の入力に応じて外国為替取引システム１００に外国為替売買手続を実行させ、また、その手続の結果を取得してガジェット２０に送信する。また、注文確認ボタン３１８は、注文画面３１に表示されたデータを確認するもので、注文確認ボタン３１８のクリック後に、さらに注文再確認ボタンをクリックして、外国為替取引システム１００に外国為替売買手続を指示して実行させる場合も、「注文確認ボタンをクリックすると、外国為替取引システに外国為替売買手続を指示して実行させる」に含まれる。また、ポジション数（建玉数）とは、取引通貨量をいう。本態様のように構成すると、ガジェットで単に情報提供するだけでなく、トレーディングインターフェイスに注文画面を設けることにより、情報提供から発注までを一貫してガジェットからアクセス可能な外国為替取引プログラムを提供できる。
【０００８】
また、本発明の第２の態様の外国為替取引プログラムは、第１の態様の外国為替取引プログラムにおいて、例えば図２に示すように、外国為替取引システム１００は、認証に必要な情報及び外国為替取引用口座の口座番号を含む顧客に関する情報を記憶する顧客データベース１０５と、当該外国為替取引システム１００にアクセスした顧客について、顧客データベース１０５を参照して、顧客の認証を行ない、認証された顧客にアクセスを許容する認証サーバー１０４と、複数の通貨ペアの為替レートをリアルタイムに記憶するレートフィードサーバー１０２と、発注に基づいて外国為替売買手続を処理するアルゴリズムを記憶し、当該アルゴリズムに従って外国為替売買手続を実行する約定サーバー１０３と、顧客からの発注に応じて、トレーディングインターフェイス３０から入力された通貨ペア、売買種別、取引開始日、取引決済日、ポジション数を取得し、約定サーバー１０３に外国為替売買手続を実行させ、外国為替売買手続を通して変化する顧客に係る外国為替取引用口座を管理する取引管理サーバー１０１とを備える。
ここにおいて、上記各サーバーはそれぞれ個別のコンピュータに構成されても良く、１つのコンピュータに複数のサーバーが並存して構成されても良く、１つのサーバーが複数のコンピュータに分散して構成されても良い。また、発注とは、例えば注文確認ボタンのクリックによって行なわれる。本態様のように構成すると、ガジェット２０をトレーディングインターフェイス３０を介してかかる構成の外国為替取引システム１００にリンクさせることにより、外国為替取引を簡便かつ即座に実行にできる。
【０００９】
また、本発明の第３の態様の外国為替取引プログラムは、第２の態様の外国為替取引プログラムにおいて、例えば図５に示すように、レートフィードサーバー１０２に記憶された為替レートの経時変化をデスクトップ画面又はブラウザ画面に表示するレート推移一覧ガジェット２０ｅを備え、レート推移一覧ガジェット２０ｅは、移動平均処理後に一定時間間隔でサンプリングした為替レートの値を表示する。
このように構成すると、為替レートの経時変化を小画面に表示できる。
【００１０】
また、本発明の第４の態様の外国為替取引プログラムは、第２の態様の外国為替取引プログラムにおいて、例えば図９に示すように、外国為替取引システム１００Ａは、当該システム１００Ａが保有する又は加工した情報を配信しかつ演算機能を有する情報配信サーバー１０６Ａを備え、計算・注文ガジェット２０ｄは、各入力窓２１１〜２１５に入力された外国為替取引に係る通貨ペア、売買種別、取引開始日、取引決済日、ポジション数を情報配信サーバー１０６Ａに送信し、情報配信サーバー１０６Ａが送信されたデータに基づいて外国為替取引に関する取得予測金額をシミュレーションした結果を取得して、表示する。
このように構成すると、外国為替取引用端末１の能力のいかんに拘わらず外国為替取引システムの高い演算能力を利用したシミュレーションができる。
【００１１】
また、本発明の第５の態様の外国為替取引プログラムは、第２ないし第４のいずれかの態様の外国為替取引プログラムにおいて、デスクトップ画面又はブラウザ画面に、取得希望金額を入力する入力窓を表示し、取得予測金額が入力された取得希望金額以上になった時に通報信号を発生するアラームガジェットを備え、計算・注文ガジェット２０ｄは、取得予測金額を定期的にシミュレーションした結果、取得予測金額が入力された取得希望金額以上になった時に、その旨又は求めた取得予測金額をアラームガジェットに通知する。
このように構成すると、定期的に取得予測金額と取得希望金額を比較でき、顧客に希望する取引の機会を逃さないように通知できる。
【００１２】
また、本発明の第６の態様の外国為替取引システム１００，１００Ａは、インターネット２に接続可能であり、オンラインで外国為替取引に関する情報を開示し、外国為替取引に係る顧客の発注に応じて外国為替売買手続を実行する外国為替取引システムであって、第１ないし第５のいずれかの態様の外国為替取引プログラム３をダウンロード可能な状態で記憶する。
このように構成すると、当該外国為替取引システム１００，１００Ａから、情報提供から発注までを一貫してガジェット２０からアクセス可能な外国為替取引プログラム３を顧客の端末１に配信可能であり、配信された当該プログラムと協働して、情報提供から発注までを一貫してガジェットからアクセス可能な外国為替取引システムを提供できる。
【００１３】
また、本発明の第７の態様の外国為替取引用端末１は、インターネット２に接続可能であり、第１ないし第５のいずれかの態様の外国為替取引プログラム３を記憶する。
このように構成すると、情報提供から発注までを一貫してガジェット２０からアクセス可能な外国為替取引用端末１を提供できる。
【００１４】
また、本発明の第８の態様のコンピュータ読取可能な記録媒体は、第1ないし第５のいずれかの態様の外国為替取引プログラムを記録する。
【発明の効果】
【００１５】
本発明によれば、情報提供から発注までを一貫してガジェットからアクセス可能な外国為替取引プログラムを提供することができる。また、かかる外国為替取引プログラムを顧客の端末に配信可能であり、配信された当該プログラムと協働して、情報提供から発注までを一貫してガジェットからアクセス可能な外国為替取引システムを提供できる。
【発明を実施するための最良の形態】
【００１６】
以下に図面に基づき本発明の実施の形態について説明する。
【００１７】
［第１の実施の形態］
図１に、本発明の第１の実施の形態における外国為替取引関連装置のネットワーク接続構成例を示す。図１において、外国為替取引システム１００及び複数の顧客の端末１（１Ａ〜１Ｃ）がインターネット２を介して接続され、顧客は自己の端末１からインターネット２を介して外国為替取引システム１００にアクセスして、外国為替取引に関する情報を取得し、取引の発注を行うことができる。本実施の形態では、リアルレートガジェット画面２０ａ，２０ｂ、スワップポイントリストガジェット画面２０ｃ、計算・注文ガジェット画面２０ｄ及びレート推移一覧ガジェット画面２０ｅを顧客の端末１のデスクトップ画面に表示する例を説明する。なお、これらのガジェット又はガジェット画面をまとめていうときは２０で示す。
【００１８】
顧客用の端末１（トレーダー）として、デスクトップ型パーソナルコンピュータ１Ａ、ノート型パーソナルコンピュータ１Ｂ、携帯通信端末（モバイル）１Ｃ等を使用できる。これらの端末１からインターネットブラウザを介して、外国為替取引システム（トレーディングシステム）１００にアクセス可能である。また、顧客は、外国為替取引プログラム３を外国為替取引システム１００から自己の端末１にダウンロードする、又はＣＤ−ＲＯＭ等の記録媒体からインストールする等により、自己の端末１内に取り込むことが可能である。このプログラム３にはガジェット２０を利用して外国為替取引に関する情報を迅速かつ簡易に取得し、また、外国為替取引の発注手続を迅速かつ簡易に行なうためのアルゴリズムが記録されている。このプログラム３は、リアルレートガジェット２０ａ，２０ｂ、スワップポイントリストガジェット２０ｃ、計算・注文ガジェット２０ｄ、レート推移一覧ガジェット２０ｅ、トレーディングインターフェイス３０を備える。リアルレートガジェット２０ａ，２０ｂは、外国為替取引に係る通貨ペア、スプレッド、売値、買値を含む外国為替データをリアルタイムに表示する。スワップポイントリストガジェット２０ｃは、複数の通貨ペアに関する現状スワップポイント（買スワップポイントと売スワップポイント）を一覧表示する。計算・注文ガジェット２０ｄは、通貨ペア等を設定して予測取得金額をシミュレーションし、注文ボタンから外国為替売買の発注を行なう。レート推移一覧ガジェット２０ｅは、通貨ペアに係る外国為替レート及び売買比率の経時変化を示す。トレーディングインターフェイス３０は、外国為替売買手続に関してこれらのガジェット２０と外国為替取引システム１００間を仲介する。すなわち、ガジェット画面２０からの顧客の入力（指示）に応じて外国為替取引システム１００に外国為替取引に係る処理を実行させ、また、その処理の結果をガジェット２０に送信する。この外国為替取引プログラム３は、かかる構成により、情報提供から発注までを一貫してガジェット２０からアクセス可能である。
【００１９】
図２に外国為替取引関連装置間のデータフロー例を示す。ガジェット画面２０は例えば端末１のデスクトップ画面の一部の領域、例えば左下隅に複数まとめて表示される。デスクトップ画面上の領域の代わりに、ブラウザで指定された領域や顧客自身が編集する領域に表示することも可能である。ガジェット２０から外国為替取引システム１００の外国為替売買手続を行なう取引サイト又は顧客の認証を行なう認証サイトにアクセスするには、トレーディングインターフェイス３０を介して行なう。なお、取引サイトにアクセスする際にも認証が行なわれる。認証されるためには、予め外国為替取引用口座を開設しておく必要がある。外国為替取引用口座が開設されると会員として登録され、認証され、取引サイトを含む会員サイトへのアクセスが可能になる。ここで、会員サイトとは口座が開設され、会員となった顧客にアクセスを許可するサイトであり、取引サイトを含む。すなわち、外国為替取引プログラム３は、複数のガジェット画面２０をデスクトップ画面の一部の領域に表示すると共に、ガジェット画面２０に表示された所定のボタン（注文ボタン、認証ボタン）をクリックすると、外国為替取引システム１００の取引サイト又は認証サイトにアクセスするためのトレーディングインターフェイス３０の画面（注文画面３１、認証画面３２）を表示し、同画面の入力窓に所定のデータを入力して、同画面に表示された所定のボタン（注文確認ボタン、送信ボタン）をクリックすると、外国為替取引システム１００の取引サイト又は認証サイトにアクセスして、所定の処理（外国為替売買手続、認証手続）を指示して実行させるようにプログラムされている。また、ガジェット２０はトレーディングインターフェイス３０を介して外国為替取引システム１００から所定の処理の結果情報（外国為替売買の成立・不成立、認証の有無）を取得する。
【００２０】
外国為替取引システム１００は、インターネットに接続され、オンラインで外国為替取引に関する種々の情報を開示し、外国為替取引に係る顧客の発注に応じて外国為替売買手続を実行するシステムであり、通常、証券会社等のＦＸ（Ｆｏｒｅｉｇｎ  Ｅｘｃｈａｇｅ：外国為替証拠金取引）業者が保有する。本実施の形態では、外国為替取引システム１００は、取引管理サーバー１０１、レートフィードサーバー１０２、約定サーバー１０３、認証サーバー１０４、顧客データベース１０５、情報配信サーバー１０６、プログラム配信サーバー１０７を備える。取引管理サーバー１０１は、顧客からの発注に応じて、顧客によりトレーディングインターフェイス３０の注文画面３１の入力窓に入力された通貨ペア、売買種別、取引開始日、取引決済日、ポジション数（建玉数、取引通貨量）を取得し、これらのデータを用いて約定サーバー１０３に外国為替売買手続を実行させる。また、外国為替売買手続を通して変化する顧客に係る外国為替取引用口座を管理する。ポジション（建玉）は新規注文の約定成立により発生し、決済注文の約定成立により消滅する。レートフィードサーバー１０２は、複数の通貨ペアの為替レートをリアルタイムに記憶する。各ガジェット２０はレートフィードサーバー１０２のデータを適宜取得する。過去の時系列データも、決済や分析等に利用するために所定期間保持する。約定サーバー１０３は、外国為替取引に係る顧客の発注に基づいて外国為替売買手続を処理するアルゴリズムを記憶する。また、当該アルゴリズムに従って外国為替売買手続を実行する。認証サーバー１０４は、当該前記外国為替取引システム１００の取引サイト又は認証サイトにアクセスした顧客について、顧客データベース１０５を参照して、顧客の認証を行ない、外国為替取引用口座が開設され、認証された顧客に取引サイトを含む会員サイトへのアクセスを許容する。顧客データベース１０５は、認証に必要な情報及び外国為替取引用口座の口座番号を含む顧客に関する情報を記憶する。情報配信サーバー１０６はキャンペーン情報等の情報を記憶し、ガジェット２０に配信する。各ガジェット２０は情報配信サーバー１０６の情報を適宜取得する。プログラム配信サーバー１０７は、外国為替取引プログラム３をダウンロード可能な状態で記憶し、顧客のダウンロード要求に応じて顧客の端末１に外国為替取引プログラム３のダウンロードを許可する。
【００２１】
次に、ガジェット２０について説明する。ガジェット（Ｇａｄｇｅｔ）２０とは、デスクトップ画面、ブラウザ画面上で一目でわかるように情報を提供し、頻繁に使用するウエブサイトやアプリケーションに簡単にアクセスできるようにする小規模なプログラムで、ウィジェットとも呼ばれる。また、かかるプログラムにより表示される小画面も通常、ガジェット、ウィジェットと称される。ここでは、プログラムを意味する時はガジェットと称し、かかるプログラムにより表示される画面を意味する時はガジェット画面と称して区別することとする。なお、ガジェットとガジェット画面で符号を共有するものとする。ガジェット２０は、ガジェット画面を例えばデスクトップ画面の略３ｃｍ×４ｃｍの小領域（小画面）に表示でき、辞書検索ガジェット、商品紹介ガジェット、見出しニュースガジェット、カレンダー表示ガジェット、路線探索ガジェット等様々なガジェットが利用されている。ガジェット作成ソフトウエアが公開されている場合には、顧客自身が編集してガジェットを作成することも可能である。なお、ガジェット画面はプログラムとしてのガジェットにより操作されるので、表示される小画面の内容は固定的でなく、変化し得るものである。
【００２２】
図３にリアルレートガジェット画面の例を示す。図３（ａ）にパネル版２０ａの画面の例を、図３（ｂ）にリスト版２０ｂの画面の例を示す。リアルレートガジェットは、パネル版画面２０ａにおいて特定の通貨ペアについて、内容をクローズアップして表示する。図３（ａ）において、２０１ａは通貨ペア表示欄で、通貨ペアがアメリカ合衆国ドル（ＵＳＤ）と日本円（ＪＰＹ）であることが示されている。２０２ａはレートフィードサーバー更新時間表示欄で、更新時間が２００８年９月１７日１４時５７分３０秒であることが示されている。２０３ａは現状スプレッド表示欄で、スプレッドすなわち売値と買値の差が２ｐｉｐｓ（１ｐｉｐｓは取引の最小単位で、通貨ペアがＵＳドルと日本円の場合は１銭）であることが示されている。２０４ａは売値表示欄、２０５ａは買値表示欄で、それぞれ１０６．１１４円／ドル、１０６．１３４円／ドルであることが示されている。これらの欄の売値、買値をクリックすると、トレーディングインターフェイス３０の注文画面３１（図７参照）にリンクされる。２０６ａは現状スワップポイント表示欄で、スワップポイント（金利差調整分）が、１００００単位通貨（ドル）につき、１日当り、売スワップポイントでは５０円の支払い、買スワップポイントでは５０円の受け取りになることが示されている。リアルレートガジェット２０ａ，２０ｂはこれらの外国為替取引に係る情報をレートフィードサーバー１０２から取得し、これらの取得した情報をパネル版のガジェット画面２０ａ及びリスト版のガジェット画面２０ｂにそれぞれの表示形式に合わせて表示する。２０７ａは情報表示欄で、キャンペーン情報その他の顧客に知らせたい情報を掲載し、この欄の所定の位置（例えば□内に×が記載されたマーク）をクリックすると、情報配信サーバー１０６の当該キャンペーンの詳細ページにリンクされる。
【００２３】
リアルレートガジェットは、リスト版画面２０ｂにおいて、複数の通貨ペアを一覧表形式で表示する。図３（ｂ）において、２０１ｂは通貨ペア表示欄で、第1行目では通貨ペアがアメリカ合衆国ドル（ＵＳＤ）と日本円（ＪＰＹ）、第２行目では、ユーロ（ＥＵＲ）と日本円（ＪＰＹ）、・・・であることが示されている。特定の通貨欄をクリックすると、リアルレートガジェット（パネル版）画面２０ａに当該特定の通貨ペアに係る表示がなされる。２０２ｂはレートフィードサーバー更新時間表示欄で、更新時間が２００８年９月１７日であることが示されている。２０３ｂは現状スプレッド表示欄で、スプレッドすなわち売値と買値の差がＵＳドル／円ペアで２ｐｉｐｓであることが示されている。２０４ｂは売値表示欄、２０５ｂは買値表示欄で、ＵＳドル／円ペアでそれぞれ１０６．１１４円／ドル、１０６．１３４円／ドルであることが示されている。これらの欄の売値、買値をクリックすると、トレーディングインターフェイス３０の注文画面３１にリンクされる。これらの外国為替取引に係る情報はレートフィードサーバー１０２から得られる。２０７ｂは情報表示欄で、その内容はリアルレートガジェット（パネル版）画面２０ａの情報表示欄２０７ａと同様である。
【００２４】
このように、図３（ａ）のリアルレートガジェット（パネル版）画面２０ａと図３（ｂ）のリアルレートガジェット（リスト版）画面２０ｂａは表示形式が異なるが、特定の通貨ペアに対して同様の情報を表示する。顧客はパネル版画面２０ａとリスト版画面２０ｂの両方を画面表示しても良く、リスト版画面２０ｂのみを表示しても良い。
【００２５】
図４にスワップポイントリスト・計算ガジェット画面の例を示す。スワップポイントリスト・計算ガジェットは、スワップポイントリストガジェット２０ｃと計算・注文ガジェット２０ｄを兼用したものである。図４（ａ）にスワップポイント一覧画面（すなわちスワップポイントリストガジェット画面）２０ｃを表示した例を、図４（ｂ）に計算・注文画面（すなわち計算・注文ガジェット画面）２０ｄを表示した例を示す。スワップポイント一覧画面２０ｃはスワップポイント一覧タグ２０９をクリックすることにより、計算・注文画面２０ｄは計算・注文タグ２１０をクリックすることにより切り替え表示できる。スワップポイントリストガジェット２０ｃは複数の通貨ペアに関する現状スワップポイント（買スワップポイントと売スワップポイント）を一覧表示するものである。図４（ａ）において、２０１ｃは通貨ペア表示欄で、通貨ペアがアメリカ合衆国ドル（ＵＳＤ）と日本円（ＪＰＹ）であることが示されている。２０２ｃはレートフィードサーバー更新時間表示欄で、更新時間が２００８年９月１７日であることが示されている。２０６ｃは現状スワップポイント表示欄で、スワップポイント（金利差調整分）が、１００００単位通貨（ドル）につき、売スワップポイントでは５０円の支払い、買スワップポイントでは５０円の受け取りになることが示されている。２０８ｃは付与日数表示欄で、これらのスワップポイント値が１日当りのデータであることが示されている。スワップポイントリストガジェット２０ｃはこれらの情報をレートフィードサーバー１０２から取得する。２０７ｃは情報表示欄で、キャンペーン情報その他の顧客に知らせたい情報を掲載し、この欄の所定の位置（例えば□内に×が記載されたマーク）をクリックすると、情報配信サーバー１０６の当該キャンペーンの詳細ページにリンクされる。
【００２６】
計算・注文ガジェット２０ｄは通貨ペア、売買種別、取引開始日、取引決済日、ポジション数（建玉数、取引通貨量）を設定して予測取得金額をシミュレーションし、注文ボタンから外国為替売買の発注を行なうものである。図４（ｂ）において、スワップポイント一覧タグ２０９、計算・注文タグ２１０、レートフィードサーバー更新時間表示欄２０２ｃ、情報表示欄２０７ｃはスワップポイントリストガジェット２０ｃと同じである。２１１は通貨ペア入力窓で、アメリカ合衆国ドル（ＵＳＤ）と日本円（ＪＰＹ）の組み合わせが入力されている。２１２は売買種別入力窓で、「買」（「ＢＵＹ」）が入力されている。２１３は取引開始日入力窓、２１４は取引決算日入力窓で、それぞれ、２００８年１月１日、２００８年１２月１４日が入力されている。２１５はポジション数入力窓で、１０万通貨（１０万ドル）が入力されている。２１６は計算開始ボタンで、通貨ペア、売買種別、取引開始日、取引決算日、ポジション数を入力後にクリックすると、シミュレーションを行い、予測取得金額を計算する。２１７はシミュレーション結果表示欄で、シミュレーションの結果が表示される。この例では、スワップポイントによる取得金額が１７２，７５０円であることが示されている。２１８は注文ボタンで、顧客がシミュレーション結果に満足する等によりクリックすると、トレーディングインターフェイス３０の注文画面３１にリンクされる。また、顧客が取引を急ぐ場合には、シミュレーションを行わずに注文ボタン２１８をクリックすることも可能である。
【００２７】
図５にレート推移一覧ガジェット画面２０ｅの例を示す。レート推移一覧ガジェット２０ｅは通貨ペアに係る外国為替レート及び売買比率の経時変化を示すものである。いわばリアルレートガジェット（チャート版）ともいえる。図５において、２０１ｅは通貨ペア表示欄で、通貨ペアがアメリカ合衆国ドル（ＵＳＤ）と日本円（ＪＰＹ）であることが示されている。２０２ｅはレートフィードサーバー更新時間表示欄で、更新時間が２００８年９月５日であることが示されている。２２０は外国為替レート及び売買比率の経時変化を示すグラフである。１５時〜１９時における外国為替レート２２１（１０７．４〜１０８．０円／ドル）及び売比率２２２及び買比率２２３（０〜１００％）の動きが示されている。外国為替レート２２１はローソク足表示で、始値、終値、高値、安値がわかるように、５分間隔で表示され、５分おきにグラフが更新される。なお、ローソク足表示に代えて中値表示を用いることも可能である。売比率２２２及び買比率２２３も５分間隔で表示され、５分おきにグラフが更新される。レート推移一覧ガジェット２０ｅはこれらの情報をレートフィードサーバー１０２から５分間隔でサンプリング取得する。なお、サンプリング、グラフ表示の間隔は５分に限られず任意に設定でき、例えば１０分でも良い。２０７ｅは情報表示欄で、例えば、売買比率に関するコメントが掲載されている。また、ＣＳＶデータ（当日分及び過去分）をダウンロードするためのボタンも表示されている。ガジェット用のチャート画面２２０はトレーディングシステム用と異なる。例えば、トレーディングシステム用では時間軸スケールを２４時間表示とするが、ガジェット用では直近の２時間表示や４時間表示とする。このレート推移一覧ガジェット２０ｅの提示内容は、トレンド（傾向）を見る上で利用価値が高く、顧客が売買を決断する上で重要な情報である。また、外国為替レート及び売買比率は、移動平均処理後に一定時間間隔でサンプリングした値を表示すると、為替レートの経時変化を小画面に表示するのに便宜である。なお、複数の通貨ペアについてレート推移を比較表示できるように、複数のレート推移一覧ガジェットを設けても良い。
【００２８】
図６に本実施の形態における外国為替取引に係る処理フロー例を示す。外国為替取引関連装置間のデータフローについては図２を参照されたい。図６（ａ）に外国為替取引を行なう前準備の処理フロー例を示す。まず、顧客はブラウザを立ち上げ、インターネットを介して外国為替取引システム１００に係るホームページにアクセスする（Ｓ１０１）。顧客が当該外国為替取引システム１００を利用してオンラインで外国為替取引を行うには、当該外国為替取引システム１００の取引サイト又は認証サイトにログイン可能にするために、外国為替取引口座を開設する必要がある。当該外国為替取引システム１００のホームページから口座開設サイトに進み、口座開設画面に、顧客が氏名、住所、Ｅ−ｍａｉｌアドレス、取引銀行口座等を入力し、提示された会員規約に同意すると外国為替取引口座が開設される（Ｓ１０２）。口座開設により、口座番号が付与される。また、ユーザＩＤとパスワードが付与され、顧客データベース１０５にユーザＩＤ、パスワード等の認証に必要な情報、及び口座番号等を含む顧客に関する情報が登録される（Ｓ１０３）。パスワードは変更可能である。口座に証拠金額を振り込むことにより、証拠金額に対応した取引が可能になる。
【００２９】
口座が開設された顧客は、当該外国為替取引システム１００に簡易にアクセスするためのガジェット画面２０をデスクトップ画面に表示させ、簡易に外国為替の取引発注を実行するための外国為替取引プログラムをダウンロード可能である。例えば、会員サイトへのログイン時に、当該プログラムのダウンロード申込画面が表示され、顧客がユーザＩＤ等を入力して、申込ボタンをクリックすると当該プログラムが顧客の端末１にダウンロードされる（Ｓ１０４）。ダウンロード後に当該プログラムを起動すると、トレーディングインターフェイス３０により認証サイトにアクセスされ、ガジェットを利用可能にするための認証画面３２が画面表示される（Ｓ１０５）。
【００３０】
図７にトレーディングインターフェイス３０が表示する画面の例を示す。図７（ａ）に認証画面３２の例を、図７（ｂ）に注文画面３１の例を示す。図７（ａ）において、３２６はユーザＩＤ入力窓、３２７はパスワード入力窓、３２８は送信ボタンである。顧客が認証画面３２の入力窓３２６，３２７にユーザＩＤとパスワードを入力し、送信ボタン３２８をクリックすると、認証サーバー１０４は顧客が入力したユーザＩＤ、パスワードを顧客データベース１０５に登録されたユーザＩＤ、パスワードと比較して認証を行い、ユーザＩＤ、パスワードが一致した場合にガジェットの利用を可能にする（Ｓ１０６）。これにより、当該外国為替取引に係る複数のガジェット画面２０（図３〜５参照）が端末１のデスクトップ画面の左下隅にまとめて表示される。次回の端末起動からは、起動の際に、ガジェット画面２０がデスクトップ画面の左下隅にまとめて表示される。
【００３１】
図６（ｂ）にガジェット２０での処理フロー例を示す。顧客は、例えば、デスクトップ画面に表示されたリアルレートガジェット画面２０ａ，２０ｂ、スワップポイントリストガジェット画面２０ｃ、レート推移一覧ガジェット画面２０ｅからリアルタイム（実行上は５分毎、１０分毎など）に外国為替取引に係る情報を得ることができる（Ｓ２０１）。これらの情報についてレートフィードサーバー１０２から、５分毎（又は１０分毎）に各通貨ペアの為替レート、スワップポイント、売買要求数（出来高）がサンプリングされ、各ガジェットで、売値、買値、スプレッド、売買比率に変換されて各ガジェット画面２０に表示される。なお、売値、買値、スプレッドをレートフィードサーバー１０２から取得しても良い。経時変化を示すグラフはレート推移一覧ガジェット２０ｅにおいて、レートフィードサーバー１０２から、例えば５分毎（又は１０分毎）にサンプリングされたデータに基づいて作成される。時間帯が長い場合にはサンプリングしたデータから時間帯に対応するグラフのメモリ間隔に合わせて抽出する。なお、レートフィードサーバー１０２に記憶されたデータから時間帯に対応するグラフのメモリ間隔に合わせて取得しても良い。チャートの時間帯が１日以上長い場合は、後者の方がガジェットのメモリ負担が軽くなり好適である。なお、スワップポイントリスト・計算ガジェット２０ｃ，２０ｄではデフォルトではスワップポイント一覧表示が選択される。顧客は、これらのガジェットから、通貨ペア毎の売値、買値、スプレッド、スワップポイント、為替レートの動き、売買比率の動きを知ることができる。変動が激しい時には、表示に際して平均化、移動平均等の統計処理をして表示した方がトレンドを見る上で好適である。また、情報表示欄２０７ａ〜２０７ｃにはキャンペーンなどの広告情報や、顧客の判断に有効なコメントやトピックス情報が表示される。
【００３２】
顧客はデスクトップ画面に表示されたこれらの情報から、注文に際して、シミュレーションを行なうことができる。本実施の形態では、計算・注文ガジェット２０ｄを用いて予測取得金額のシミュレーションを行なう（Ｓ２０２）。なお、シミュレーションを行なうか否かは顧客の自由意思による。スワップポイントリスト・計算ガジェット画面２０ｃ，２０ｄの計算・注文タグ２１０をクリックすることにより計算・注文画面に切り替えられる。顧客が通貨ペア入力窓２１１に通貨ペアを、売買種別入力窓２１２に「売」又は「買」を、取引開始日入力窓２１３及び取引決算日入力窓２１４に、それぞれ、取引開始日、取引決算日を、ポジション数入力窓２１５に取引通貨量（ポジション数、建玉数）を入力し、計算開始ボタン２１６をクリックすると、外国為替取引プログラム３はシミュレーションを行い、外国為替取引に関する予測取得金額を計算し、シミュレーション結果表示欄２１７にシミュレーションの結果が表示される。外国為替取引に関する取得予測金額として、例えば、スワップポイントによる取得予測金額、現時点で決済注文を行なった場合の外国為替レート差による取得予測金額、現時点で新規注文を行ない決済注文時の外国為替レートを推定した場合のレート差による取得予測金額、取引手数料・スワップポイント・レート差を含む取得予測金額が挙げられる。すなわち、計算・注文ガジェット２０ｄは、計算・注文画面２０ｄに入力された通貨ペア、売買種別、取引開始日、取引決算日、ポジション数を用い、場合によりレートフィードサーバー１０２における経時変化データを取得して、取引開始日と取引決算日間の為替レート、スワップポイントを予測し、場合により移動平均などの統計処理を行い、シミュレーションを行ない、そして、計算結果をシミュレーション結果表示欄２１７に表示する。シミュレーション結果を見た顧客が、取引の発注を欲する場合には、発注手続に進む。計算・注文画面２０ｄの注文ボタン２１８をクリックすると（Ｓ２０３）、トレーディングインターフェイス３０により、注文画面３１が端末１のデスクトップ画面に表示される（Ｓ２０４）。
【００３３】
図７（ｂ）の注文画面３１において、顧客は、通貨ペア入力窓３１１に通貨ペアを、アマウント入力窓３１２に取引通貨量（ポジション数）を、売買種別入力窓３１３に「売」又は「買」を入力する。レート表示窓３１４にはレートフィードサーバーからリアルタイムに取得した為替レートが表示される。また、注文方法入力窓３１５には注文方法を、例えばタグから選んで入力する。注文方法として、例えば、成行注文、指値注文、逆指値注文、ＩＦＤ、ＯＣＯ、ＩＦＯ、トレール注文等を選択可能である。売値・買値表示欄３２０に現時点での売値・買値が表示され、注文方法に応じて、スリッページ許容差の入力窓３２１、リミットオーダーラインの入力窓３２２、ストップオーダーラインの入力窓３２３、新規注文の売値又は買値の入力窓３２４、トレール価格幅の入力窓３２５が入力可能となる。
【００３４】
また、ユーザＩＤ入力窓３１６、パスワード入力窓３１７には、それぞれユーザＩＤとパスワードを入力する。通貨ペア、取引通貨量（ポジション数、建玉数）、売買種別、注文方法、ユーザＩＤ、パスワードが入力された後に、注文確認ボタン３１８をクリックすると、顧客の認証が行なわれる（Ｓ２０５）。認証サーバー１０４は顧客が入力したユーザＩＤ、パスワードを顧客データベース１０５に登録されたユーザＩＤ、パスワードと比較して認証を行い、ユーザＩＤ、パスワードが一致した場合にのみ外国為替取引システム１００の取引サイトへのログインを許可する。取引サイトへのログインが許可されると、トレーディングインターフェイス３０により注文確認画面（図示しない）が表示され、注文確認画面に、注文画面３１から取得された通貨ペア、取引通貨量（ポジション数）、売買種別、為替レート、注文方法が再表示される。また、注文再確認ボタンと注文中止ボタンが表示され、注文再確認ボタンをクリックすると（Ｓ２０６）、取引サイトにログインされ、外国為替売買手続の処理が行われる。また、注文中止ボタンをクリックすると発注を中止し、計算・注文ガジェット画面２０ｄに戻り、シミュレーションをやり直すことが可能である。
【００３５】
図６（ｃ）に、外国為替取引システム１００における発注処理フロー例を示す。取引管理サーバー１０１は、トレーディングインターフェイス３０から入力された通貨ペア、売買種別、取引開始日、取引決済日、ポジション数を取得し、レートフィードサーバー３０から入力された通貨ペアの為替レートを取得し、約定サーバー１０３に外国為替売買手続を実行させ、外国為替売買手続を通して変化する顧客に係る外国為替取引用口座を管理する。約定サーバー１３は外国為替取引に係る顧客の発注に基づいて外国為替売買手続を処理するアルゴリズムに従って外国為替売買手続を実行する。
【００３６】
まず、取引管理サーバー１０１は、注文確認画面から、通貨ペア、取引通貨量（ポジション数）、売買種別、為替レート、注文方法を取り込み、これらのデータを付して、約定サーバー１３に発注の指示を行なう（Ｓ３０１）。注文方法として、ここでは成行注文を選択した場合を説明する。成行注文を選択すると、売値・買値表示欄３２０に現時点での売値・買値が表示され、スリッページ許容幅の入力窓３２１が入力可能となる。その他の注文方法については第４の実施の形態で述べる。成行注文では、発注時にスリッページ（提示されたレートと実際に約定したレートとの差）の許容幅を設定できる。スリッページの許容幅「ポイント」（１ポイントは通貨ペアがＵＳドル／円では１銭）は、例えば０，１，３，５，１０，２０、「成行」の７種類から選択できる。顧客はスリッページ許容幅の入力窓３２１に許容幅を選択して入力する。発注時（注文確認ボタンのクリック時）から約定成立までの間にレートが変化している。約定サーバー１０３は、注文方法に対応する上記アルゴリズムに基づき、注文確認画面から取得したデータとスリッページの許容幅を参照して、約定すべきか否かを判定する（Ｓ３０２）。約定時の為替レートが注文時から不変又は顧客に有利な方向（ＵＳドル売ではレート上昇、ＵＳドル買ではレート下降）に変化した場合には約定を行い、注文時から顧客に不利な方向（ＵＳドル売ではレート下降、ＵＳドル買ではレート上昇）に変化した場合には、乖離がスリッページの許容幅以内に収まる場合には約定を行い、収まらない場合には約定を行わない（Ｓ３０３）。「成行」を選択した場合には、約定時の為替レートで約定を行なう。約定が行なわれた場合には、約定サーバー１０３は取引管理サーバー１０１に取引成立の旨と約定時の為替レートを通知し、発注から所定の時間（例えば１５分）の間に約定を行なわなかった場合には、そのセッションを自動的に無効とし、約定サーバー１０３は取引管理サーバー１０１に取引不成立の旨を通知する（Ｓ３０４）。取引管理サーバー１０１は、トレーディングインターフェイス３０を介して、例えば、スワップポイントリスト・計算ガジェット画面２０ｃ，２０ｄの情報表示欄２０７ｃに取引成立・不成立の旨と、成立の場合には約定時の為替レートを表示する（Ｓ３０５）。なお、リアルレートガジェット画面２０ａ，２０ｂの情報表示欄２０７ａ，２０７ｂに表示しても良い。
【００３７】
取引管理サーバー１０１は、顧客の口座を管理し、証拠金残高を計算する（Ｓ３０６）。証拠金額に売買代金、スワップポイントを加減算し、（必要な場合は）売買手数料を減額して証拠金残高を求める。次いで、証拠金残高がトレーディングインターフェイス３０を介して、例えば、計算ガジェット２０ｄに通知され、計算ガジェット画面２０ｄの情報表示欄２０７ｃに表示される。当該取引又は今後の取引において、証拠金の積み増しが必要な場合には、その旨が併せて通知され、表示される。なお、リアルレートガジェット画面２０ａ，２０ｂの情報表示欄２０７ａ，２０７ｂに表示しても良い。
【００３８】
以上説明したように、本実施の形態によれば、情報提供から発注までを一貫してガジェットからアクセス可能な外国為替取引プログラムを提供することができる。また、かかる外国為替取引プログラムを顧客の端末に配信可能であり、配信された当該プログラムと協働して、情報提供から発注までを一貫してガジェットからアクセス可能な外国為替取引システムを提供できる。
【００３９】
［第２の実施の形態］
第１の実施の形態では、ＦＸ業者のホームページから外国為替取引プログラムを顧客の端末１にダウンロードし、デスクトップ画面にガジェット画面２０を表示する例を説明したが、本実施の形態では顧客が自分でプログラムしてガジェット画面２０を表示する例を示す。ガジェットを作成するプログラムの内容は比較的簡単で、顧客が自由に作成することも可能である。また、ガジェットの作成方法を公開しているケースもある。本実施の形態ではガジェットの作成方法を公開しており、顧客が、通貨ペア、売値、買値、スワップポイント、スプレッド等のデータの表示欄や入力窓、計算開始ボタン、注文ボタン等のボタンを表示できるようにプログラムを作成すれば、表示様式を適当にアレンジしてガジェット画面を表示し、これを利用して外国為替取引をすることができる。ガジェットの利用、取引の手順等は第１の実施の形態と同様であり、同様の効果を奏する。また、外国為替取引プログラムをＵＳＢメモリ、ＣＤ−ＲＯＭ等の記録媒体から顧客の端末１にインストールし、ガジェット画面をデスクトップ画面に表示することも可能である。
【００４０】
［第３の実施の形態］
本実施の形態では、第１の実施の形態に他のガジェットを追加する例を説明する。
図８に情報案内ガジェット画面２０ｆの例を示す。図８において、２３１はＦＸ基礎用語ボタン、２３２は注文方法ボタン、２３３は分析方法ボタン、２３４は会員ボタン、・・・である。例えば、ＦＸ基礎用語ボタン２３１をクリックすると、外国為替取引システム１００のＦＸ（外国為替証拠金取引）基礎用語の解説ページへリンクされる。ＦＸ基礎用語の解説ページでは、投資、外国為替、証拠金、スプレッド、レバレッジ、スワップポイント等の説明がされている。また、注文方法ボタン２３２をクリックすると、外国為替取引システム１００の注文方法の解説ページへリンクされる。注文方法の解説ページでは、新規注文、決済注文、成行注文、指値注文、逆指値注文、ストップオーダー、リミットオーダー、トレイリングストップ、ＩＦＤ、ＯＣＯ、ＩＦＯ、トレール注文等の説明がされている。また、分析方法ボタン２３３をクリックすると、外国為替取引システム１００の分析方法の解説ページへリンクされる。分析方法の解説ページでは、ダウ理論、ギャン理論、ファンダメンタル分析、テクニカル分析等の説明がされている。これらの解説ページは例えば情報配信サーバー１０６に設けられる。このように、第１の実施の形態に他のガジェットを追加することも可能である。また、会員ボタン２３４をクリックすると、認証画面３２（図７（ａ）参照）が表示され、顧客が認証画面３２の入力窓３２６，３２７にユーザＩＤとパスワードを入力し、送信ボタン３２８をクリックすると、認証が行なわれ、外国為替取引システム１００の会員サイトにリンクされる。
【００４１】
［第４の実施の形態］
本実施の形態では、注文方法を選択可能な例を説明する。例えば、注文画面３１における注文方法の入力窓３１５にタグを付し、タグをクリックすると、選択肢として、成行注文、指値注文、逆指値注文、ＩＦＤ、ＯＣＯ、ＩＦＯ、トレール注文等が表示される。成行注文は相場の動きを見ながら売買したい時に行なう注文方法である。成行注文を選択すると、注文画面３１のスリッページ許容差の入力窓３２１が入力可能となり、売値・買値表示欄３２０に現時点での売値・買値が表示される。顧客が入力窓３２１にスリッページ許容差を入力し、売値・買値を確認して注文確認ボタン３１８、更に注文再確認ボタンをクリックすると、外国為替取引システム１００の取引サイトにリンクして取引が行なわれる。すぐに取引ができるという利点がある。指値注文及び逆指値注文は予め売値又は買値を予め指定する注文方法である。指値注文では買値の場合は現時点よりも安い、売値の場合は現時点よりも高い値をリミットオーダーラインとして指定する。現時点よりは有利な取引ができる利点がある。指値注文を選択すると、リミットオーダーラインの入力窓３２２が入力可能となり、売値・買値表示欄３２０に参考としての現時点での売値・買値が表示される。入力窓３２２にリミットオーダーラインを入力して、注文確認ボタン３１８、更に注文再確認ボタンをクリックすると、外国為替取引システム１００の取引サイトにリンクして取引が行なわれる。逆指値注文では買値の場合は現時点よりも高い、売値の場合は現時点よりも安い値をストップオーダーラインとして指定する。損失をおさえる利点がある。逆指値注文を選択すると、ストップオーダーラインの入力窓３２３が入力可能となり、売値・買値表示欄３２０に参考としての現時点での売値・買値が表示される。入力窓３２３にストップオーダーラインを入力して、注文確認ボタン３１８、更に注文再確認ボタンをクリックすると、外国為替取引システム１００の取引サイトにリンクして取引が行なわれる。
【００４２】
ＩＦＤは新規注文の際に決済方法として指値注文又は逆指値注文のどちらかを組み合わせて行なう注文方法である。ＩＦＤを選択すると、新規注文の売値又は買値の入力窓３２４と決済時の値（リミットオーダーライン又はストップオーダーライン）の入力窓３２２又は３２３が入力可能となり、売値・買値表示欄３２０に参考としての現時点での売値・買値が表示される。各入力窓３２２又は３２３，３２４に新規注文の売値又は買値とリミットオーダーライン又はストップオーダーラインを入力して、注文確認ボタン３１８、更に注文再確認ボタンをクリックすると、外国為替取引システム１００の取引サイトにリンクして取引が行なわれる。ＯＣＯは、２つの決済注文、すなわち指値注文及び逆指値注文をセットにして行なう注文方法で、その一方が成立した場合には他方が自動的にキャンセルされるものである。ＯＣＯを選択すると、リミットオーダーライン及びストップオーダーラインの入力窓３２２及び３２３が入力可能となり、売値・買値表示欄３２０に参考としての現時点での売値・買値が表示される。各入力窓３２２及び３２３にリミットオーダーライン及びストップオーダーラインを入力して、注文確認ボタン３１８、更に注文再確認ボタンをクリックすると、外国為替取引システム１００の取引サイトにリンクして取引が行なわれる。ＩＦＯはＩＦＤとＯＣＯを組み合わせた注文方法である。すなわち、新規注文と２つの決済注文、指値注文及び逆指値注文をセットにして行なう注文方法である。ＩＦＯを選択すると、新規注文の売値又は買値の入力窓３２４と決済時のリミットオーダーライン及びストップオーダーラインの入力窓３２２及び３２３が入力可能となり、売値・買値表示欄３２０に参考としての現時点での売値・買値が表示される。各入力窓３２２及び３２３，３２４に新規注文の売値又は買値とリミットオーダーライン及びストップオーダーラインを入力して、注文確認ボタン３１８、更に注文再確認ボタンをクリックすると、外国為替取引システム１００の取引サイトにリンクして取引が行なわれる。トレール注文は相場の変動に合わせて逆指値注文を変更することにより、より実勢に合った逆指値注文を執行するために用いられる。ポジションの利益がかなり大きくなっていたにも関わらず、その後の相場変動によりその利益を失ってしまう事態を避けるため、トレール注文を設定することで、相場が有利な方向に動いた場合に、逆指値の水準を自動的に移動させることができる。トレール注文を選択すると、決済時のストップオーダーラインの入力窓３２３とトレール価格幅の入力窓３２５が入力可能となり、売値・買値表示欄３２０に参考としての現時点での売値・買値が表示される。各入力窓３２３，３２５にストップオーダーラインとトレール価格幅を入力して、注文確認ボタン３１８、更に注文再確認ボタンをクリックすると、外国為替取引システム１００の取引サイトにリンクして取引が行なわれる。このように種々の注文方法に合わせた入力窓が準備される。なお、その他の特殊な注文方法に対処することも可能である。また、上記注文方法のうち一部の注文方法、例えば成行注文を省略しても良い。また、注文再確認ボタンを省略することも可能である。
【００４３】
［第５の実施の形態］
外国為替取引サービスには複数の商品コース設計があり得る。本実施の形態では、各コース設計に対応してそれぞれ外国為替取引プログラムが設けられ、複数の商品コース設計から外国為替取引プログラムを選択できる例を説明する。外国為替取引システムでは、例えば、信託保全の有無、取引手数料、取引通貨単位、レバレッジに応じて複数の商品コース設計を選択できるよう構成される。また、レバレッジにはロスカットルールを設けたリスクヘッジを行なう商品コース設計もあり得る。各商品コース設計に対応してそれぞれ外国為替取引プログラムが設けられる。顧客は商品コース設計を選択して契約を行なう。顧客が選択した商品コース設計に対応して外国為替売買手続のアルゴリズムが定められる。このため、複数種類の外国為替取引プログラムを用意しておき、顧客が選んだ商品コース設計に対応する外国為替売買手続のアルゴリズムを掲載する外国為替取引プログラムをダウンロードさせるようにする。なお、１つの外国為替取引プログラム内に複数の外国為替売買手続のアルゴリズムを掲載し、顧客が選んだ商品コース設計の外国為替売買手続のアルゴリズムを選択できるようにしても良い。また、商品コース設計毎に取引管理サーバーを設けても良い。
【００４４】
［第６の実施の形態］
第６の実施の形態では、アラームガジェットを設け、シミュレーションで取得予測金額が顧客の希望取得金額以上になった時に顧客に通報信号を発生する例を説明する。第１の実施の形態において、計算・注文ガジェット２０ｄはシミュレーションを行い、取得予測金額を計算する。この場合、取得予測金額が顧客の希望取得金額以上になった時、顧客は発注を行い、取引が成立すれば良いが、取得予測金額が顧客の希望取得金額以上にならない場合には顧客は取引を行なわない。または取引が不成立になる場合もある。そこで、アラームガジェット（図示しない）を設け、アラームガジェットに、顧客の希望取得金額を登録できる希望取得金額入力窓を設け、希望取得金額が登録された場合には、アラームガジェットから計算・注文ガジェット２０ｄに希望取得金額を通知し、計算・注文ガジェット２０ｄに定期的に（例えば３０分毎）シミュレーションを行なうようにさせる。計算・注文ガジェット２０ｄはシミュレーション結果としての取得予測金額と登録された希望取得金額を比較し、取得予測金額が希望取得金額以上になった場合には、アラームガジェットに通知し、アラームガジェットは、取得予測金額が希望取得金額以上になった旨を画面表示し又は音声で顧客に通報する。なお、計算・注文ガジェット２０ｄは取得予測金額をアラームガジェットに通知し、アラームガジェットで取得予測金額と登録された希望取得金額を比較し、取得予測金額が希望取得金額以上になった旨を画面表示し又は音声で顧客に通報しても良い。画面表示は例えば特定のシンボルマークや光が点滅するマークを表示したり、デスクトップ画面にテロップを流すようにする。また例えば、特定のメロディを流したり、音声合成ＩＣを用いて「希望の取引が可能になりました」と音声を流すようにする。これにより、顧客の希望する取引の機会が生じた時に、その旨を顧客に早く伝えられ、顧客は取引の機会を逃さないで済む。
【００４５】
［第７の実施の形態］
第１の実施の形態では、注文・計算ガジェット２０ｄが取得予測金額をシミュレーションする例、また、情報配信サーバー１０６は自己が有する情報をガジェット２０に配信する例を説明したが、本実施の形態では、外国為替取引システム１００Ａの情報配信サーバー１０６Ａで取得予測金額をシミュレーションする例、また、情報配信サーバー１０６Ａは外国為替取引システム１００Ａ及びガジェット２０の有する情報を収集・加工してガジェット２０に配信する例を説明する。
【００４６】
図９に第７の実施の形態における外国為替取引関連装置間のデータフロー例を示す。図９において図２と同一又は類似の機能を有する部分には同じ符号を付して説明を省略する。外国為替取引システムを１００Ａ、情報配信サーバーを１０６Ａとする。第１の実施の形態（図２参照）と異なる点を主に説明する。第１の実施の形態では、外国為替取引システム１００が有する情報のうち、取引サイトの情報はトレーディングインターフェイス３０を介して、その他のサイトの情報は各サーバーから直接、ガジェット２０に取得されるが、本実施の形態では、情報配信サーバー１０６Ａは、他のサーバーから情報を収集したり、データの演算・加工をしたり、ガジェットに送信できる。したがって、計算・注文ガジェット２０ｄの代わりにシミュレーションを行ない、その結果を計算・注文ガジェット２０ｄに送信する。また、第１の実施の形態では、注文・計算ガジェット２０ｄが取得予測金額をシミュレーションするが、本実施の形態では、外国為替取引システム１００Ａの情報配信サーバー１０６Ａで、注文・計算ガジェット２０ｄから通貨ペア、売買種別、取引開始日、取引決算日、ポジション数を取得し、レートフィードサーバー１０２から当該通貨ペアに係る外国為替レートの経時変化を取得し、取得予測金額をシミュレーションする。シミュレーション結果は、情報配信サーバー１０６Ａから注文・計算ガジェット２０ｄに送信され、注文・計算ガジェット２０ｄにおいて、シミュレーション結果表示欄２１７に表示される。また、シミュレーション結果以外の情報についても、取引サイト以外の情報であれば、情報配信サーバー１０６Ａがガジェット２０及び外国為替取引システム１００Ａの各サーバー１０１〜１０４及びデータベース１０５から情報を収集し、要求に応じて加工し、ガジェット２０に送信することも可能である。例えば顧客の要求に応じて取引管理サーバー１０１から顧客の外国為替取引用口座の残高を取得し、いずれかのガジェット２０に送信し、その情報表示欄に表示させることが可能である。なお、取引サイトの情報はトレーディングインターフェイス３０を介してガジェット２０と外国為替取引システム１００Ａ間で送受信されるが、その他のサイトの情報はトレーディングインターフェイス３０を介することなくガジェット２０と外国為替取引システム１００Ａ間（情報配信サーバー１０６Ａを介しても良い）で送受信される。その他のシステム構成及びデータフローは第１の実施の形態と同様である。
【００４７】
［第８の実施の形態］
本実施の形態では、複数ガジェット間でリンクし合う態様について説明する。第１の実施の形態ではリアルレートガジェット（パネル版）画面２０ａ、リアルレートガジェット（リスト版）画面２０ｂ、スワップポイントリスト・計算ガジェット画面２０ｃ，２０ｄ、レート推移一覧ガジェット画面２０ｅの４ガジェット画面を表示する例を説明した。しかし、情報案内ガジェット画面２０ｆ、アラームガジェット画面、その他のガジェット画面を追加すると多数のガジェット画面が存在することになり得る。このような場合、最初からこれらのガジェット画面をデスクトップ画面に表示すると、画面の広い面積を使用することとなり、画面の一部に配置するという元来のガジェットのあり方と矛盾する。そこで、最初はリアルレートガジェット（パネル版）画面２０ａ、リアルレートガジェット（リスト版）画面２０ｂ、スワップポイントリスト・計算ガジェット画面２０ｃ，２０ｄ、レート推移一覧ガジェット画面２０ｅの４ガジェット画面を表示しておき、後は必要に応じて画面表示できるようにすれば良い。例えば、情報案内ガジェット画面はリアルレートガジェット画面２０ａ，２０ｂ等の情報表示欄２０７ａ，２０７ｂに情報案内ガジェット表示ボタンを設けて、情報案内ガジェット表示ボタンをクリックすることにより表示できるようにすれば良い。また、アラームガジェット画面は、計算・注文ガジェット画面２０ｄに、アラームガジェット表示ボタンを設け、アラームガジェット表示ボタンをクリックすることにより表示できるようにすれば良い。また、１つのガジェット画面から複数のガジェット画面を表示できるようにしても良く、複数のガジェット画面から１つのガジェット画面を表示できるようにしても良い。また、レート推移一覧ガジェット画面２０ｅについても最初からデスクトップ画面に表示せず、リアルレートガジェット画面２０ａ，２０ｂ等の情報表示欄２０７ａ，２０７ｂにレート推移一覧ガジェット表示ボタンを設けて、レート推移一覧ガジェット表示ボタンをクリックすることにより表示できるようにしても良い。
【００４８】
本発明は、ガジェット及びトレーディングインターフェイスを備える外国為替取引プログラムとして、また、当該プログラムを記憶する外国為替取引用端末、当該プログラムを記憶する記憶媒体として実現可能である。また、外国為替取引用端末及び外国為替取引システムを含むシステムとして、又は外国為替取引方法としても実現可能である。プログラムは外国為替取引用端末の内蔵記憶部に蓄積して使用してもよく、外付けの記憶装置に蓄積して使用してもよく、インターネットからダウンロードして使用しても良い。
【００４９】
以上、本発明の実施の形態について説明したが、本発明は上記の実施の形態に限定されるものではなく、本発明の趣旨を逸脱しない範囲で、実施の形態に種々変更を加えられることは明白である。
【００５０】
例えば、以上の実施の形態では、外国為替取引プログラムをＦＸ業者のホームページから顧客の端末１にダウンロードする例を説明したが、ＣＤ−ＲＯＭ、ＤＶＤ、ＵＳＢメモリ等の記録媒体から顧客の端末１にインストールしても良い。また、以上の実施の形態では、ガジェット画面２０をデスクトップ画面に表示する例を説明したが、ブラウザ画面に表示しても良い。また、以上の実施の形態では、主として１つの通貨ペアについて、シミュレーションを行ない、外国為替取引の発注を行なう例を説明したが、計算・注文ガジェット２０ｄの通貨ペア入力窓２１１等、及び注文画面３１の通貨ペア入力窓３１１等を複数設けることにより、２以上の通貨ペアの一括取引も可能である。また、処理フローについても処理の順序を変更可能である。例えば、口座開設の前に外国為替取引プログラムをインストールできるようにし、会員のみに利用させるガジェットには認証を要するようにしても良く、また、注文画面を表示する前に顧客の認証を行なえるようにしても良い。その他、ガジェット、注文画面の表示形式等も様々に変更可能である。
【産業上の利用可能性】
【００５１】
本発明は、インターネットを介した外国為替オンライン取引に利用される。
【図面の簡単な説明】
【００５２】
【図１】第１の実施の形態における外国為替取引関連装置のネットワーク接続構成例を示す図である。
【図２】第１の実施の形態における外国為替取引関連装置間のデータフロー例を示す図である。
【図３】リアルレートガジェット画面の例を示す図である。
【図４】スワップポイントリスト・計算ガジェット画面の例を示す図である。
【図５】レート推移一覧ガジェット画面の例を示す図である。
【図６】第１の実施の形態における外国為替取引に係る処理フロー例を示す図である。
【図７】トレーディングインターフェイスが表示する画面の例を示す図である。
【図８】情報案内ガジェット画面の例を示す図である。
【図９】第７の実施の形態における外国為替取引関連装置間のデータフロー例を示す図である。
【符号の説明】
【００５３】
１    顧客の端末
１Ａ  デスクトップ型パーソナルコンピュータ
１Ｂ  ノート型パーソナルコンピュータ
１Ｃ  携帯通信端末（モバイル）
２    インターネット
３    外国為替取引プログラム
２０  ガジェット
２０ａ  リアルレートガジェット（パネル版）
２０ｂ  リアルレートガジェット（リスト版）
２０ｃ  スワップポイントリストガジェット
２０ｄ  計算・注文ガジェット
２０ｅ  レート推移一覧ガジェット
２０ｆ  情報案内ガジェット
３０  トレーディングインターフェイス
３１  注文画面
３２  認証画面
１００，１００Ａ  外国為替取引システム
１０１  取引管理サーバー
１０２  レートフィードサーバー
１０３  約定サーバー
１０４  認証サーバー
１０５  顧客データベース
１０６，１０６Ａ  情報配信サーバー
１０７  プログラム配信サーバー
２０１ａ，２０１ｂ，２０１ｃ，２０１ｅ  通貨ペア表示欄
２０２ａ，２０２ｂ，２０２ｃ，２０２ｅ  レートフィードサーバー更新時間表示欄
２０３ａ，２０３ｂ  現状スプレッド表示欄
２０４ａ，２０４ｂ  売値表示欄
２０５ａ，２０５ｂ  買値表示欄
２０６ａ，２０６ｃ  現状スワップポイント表示欄
２０７ａ，２０７ｂ，２０７ｃ，２０７ｅ  情報表示欄
２０８ｃ  付与日数表示欄
２０９  スワップポイント一覧タグ
２１０  計算・注文タグ
２１１  通貨ペア入力窓
２１２  売買種別入力窓
２１３  取引開始日入力窓
２１４  取引決算日入力窓
２１５  ポジション数（建玉数）入力窓
２１６  計算開始ボタン
２１７  シミュレーション結果表示欄
２１８  注文ボタン
２２０  外国為替レート及び売買比率の経時変化を示すグラフ
２２１  外国為替レート
２２２  売比率
２２３  買比率
２３１  ＦＸ基礎用語ボタン
２３２  注文方法ボタン
２３３  分析方法ボタン
２３４  会員ボタン
３１１  通貨ペア入力窓
３１２  アマウント入力窓
３１３  売買種別入力窓
３１４  レート表示窓
３１５  注文方法入力窓
３１６  ユーザＩＤ入力窓
３１７  パスワード入力窓
３１８  注文確認ボタン
３２０  売値・買値表示欄
３２１  スリッページ許容幅の入力窓
３２２  リミットオーダーラインの入力窓
３２３  ストップオーダーラインの入力窓
３２４  新規注文の売値又は買値の入力窓
３２５  トレール価格幅の入力窓
３２６  ユーザＩＤ入力窓
３２７  パスワード入力窓
３２８  送信ボタン
【図１】
2010152801.tif 000003
【図２】
2010152801.tif 000004
【図３】
2010152801.tif 000005
【図４】
2010152801.tif 000006
【図５】
2010152801.tif 000007
【図６】
2010152801.tif 000008
【図７】
2010152801.tif 000009
【図８】
2010152801.tif 000010
【図９】
2010152801.tif 000011